(57)【要約】      （修正有）【課題】機能が多少の数種の機種の画像処理装置の内部記憶装置に、すべての機種で必要なソフトを格納しておく場合の、全ソフトの勝手使用、不正利用、不正使用による故障を防止する。【解決手段】複数の画像処理機能の各プログラムを格納した内部記憶媒体６、機能を実行するための機器２，１７，・・・、スロット６，８に差込まれた外部記憶媒体１２，１３の記録データを読み込む手段６，８、記録データにある機能データをキーとして使用可能機能を選択し内部記憶媒体から使用可能機能のプログラムを選択し使用可能に設定する使用機能設定手段１，９、ユーザ指示を入力する手段９，１６および、使用可能機能のプログラムを、ユーザの指示に応じて実行して機器２，１７，・・・を制御する手段１，２を備える。記録データは、機能データを機番データをキーとして暗号化したデータ。【選択図】図１
2008177658.tif 000002
【特許請求の範囲】
【請求項１】
複数の画像処理機能のそれぞれを実現するプログラムを格納した内部記憶媒体；
前記画像処理機能を実行するための機器；
スロットに差し込まれた外部記憶媒体の記録データを読み込む媒体データ読み取り手段；
読み込まれた記録データにある機能データをキーとして使用可能機能を選択し前記内部記憶媒体から前記使用可能機能のプログラムを選択し使用可能に設定する使用機能設定手段；
ユーザの指示を入力する入力手段；および、
前記使用機能設定手段が選択した前記使用可能機能のプログラムを、前記入力手段に入力されたユーザの指示に応じて実行して前記機器を制御する制御手段；
を備える画像処理装置。
【請求項２】
前記画像処理装置は、その機番データを発生又は保持する手段を持ち；前記外部記憶媒体の記録データは、各画像処理機能の使用可否を表す機能データを機番データをキーとして暗号化したデータである；請求項１に記載の画像処理装置。
【請求項３】
前記使用機能設定手段は、前記読み込まれた記録データを、前記画像処理装置の機番データをキーとして復号化する；請求項２に記載の画像処理装置。
【請求項４】
前記外部記憶媒体の記録データは、機番データおよび各画像処理機能の使用可否を表すデータを機能データとして、該機番データをキーとして暗号化したデータであり；前記使用機能設定手段は、前記読み込まれた記録データを、前記画像処理装置の機番データをキーとして復号化し、該復号化で得た機能データの中の機番データが前記画像処理装置の機番データと合致すると、該復号化で得た機能データの中の各画像処理機能の使用可否を表すデータに基づいて前記使用可能機能を選択する；請求項３に記載の画像処理装置。
【請求項５】
前記使用機能設定手段は、前記復号化で得た機能データの中の機番データが前記画像処理装置の機番データと不一致のときには、エラー報知を行う；請求項４に記載の画像処理装置。
【請求項６】
前記使用機能設定手段は、前記復号化で得た機能データの中の機番データが前記画像処理装置の機番データと不一致のときには、特定の画像処理機能のみを使用可能機能に選択し前記内部記憶媒体から前記使用可能機能のプログラムを選択し使用可能に設定する；請求項４又は５に記載の画像処理装置。
【請求項７】
前記画像処理装置は、機能登録操作用ＩＤを保持する手段；および、前記入力手段から入力されたデータが前記機能登録操作用ＩＤに合致すると、前記入力手段から入力される機能データを前記スロットに差し込まれた外部記憶媒体に格納する機能データ記録手段；を備える請求項１乃至６のいずれか１つに記載の画像処理装置。
【請求項８】
用紙上に画像データが表す画像を形成する作像手段；
原稿の画像を読み取り該画像を表す画像データを生成するスキャナ；
該スキャナが生成した画像データを前記作像手段が画像を形成するに適した画像データに変換する画像データ処理手段；
外部に対して書画情報をやり取りする通信手段；
前記スキャナにて原稿の画像を読み取り前記作像手段で該画像を形成するコピー機能，前記通信手段を介して書画情報を受信し前記作像手段で書画情報の画像を形成する印刷機能、および、前記スキャナで原稿の画像を読み取り該画像を表す画像データを生成して前記通信手段を介して送信するスキャナ機能、のそれぞれを実現するプログラムを格納した内部記憶媒体；
スロットに差し込まれた外部記憶媒体の記録データを読み込む媒体データ読み取り手段；
読み込まれた記録データにある機能データをキーとして使用可能機能を選択し前記内部記憶媒体から前記使用可能機能のプログラムを選択し使用可能に設定する使用機能設定手段；
ユーザの指示を入力する入力手段；および、
前記使用機能設定手段が選択した前記使用可能機能のプログラムを、前記入力手段に入力されたユーザの指示に応じて実行して前記機器を制御する制御手段；
を備える画像形成装置。
【発明の詳細な説明】
【技術分野】
【０００１】
本発明は、画像データの生成，処理，送受信あるいは画像データに基づく画像出力を行う画像処理装置および画像形成装置に関し、特に、外部記憶媒体キーを用いて、起動し得る機能を制御する画像処理装置および画像形成装置に関する。本発明はたとえば、複写機，プリンタ，スキャナ，ファクシミリあるいはコンピュータに使用できる。
【背景技術】
【０００２】
【特許文献１】特開２００３−２８８１２８号公報
【特許文献２】特開２００５−３０１９６８号公報。
【０００３】
引用文献１には、アプリケーションプログラムを記憶したＵＳＢメモリの不正使用を防止するために、ＵＳＢメモリに書き換え不可に記憶した識別子を、照合プログラムが保持する識別子と一致する場合のみ、パソコンで前記ＵＳＢメモリのアプリケーションプログラムを起動する、不正利用の防止が記載されている。引用文献２には、アプリケーションプログラムと該プログラムが正当なものであるかを判断するチェックデータとを記憶した記憶媒体を用い、該プログラムとチェックデータに基づいて該プログラムが正当なものかを判断し、複写機の機番とチェックデータに含まれる機番とを照合して記憶媒体が正当なものかを判断する情報処理装置が記載されている。
【０００４】
従来の画像処理装置、例えば複写装置では、引用文献１，２と同様に、各機能（たとえばコピー機能，印刷機能，ファクシミリ機能，スキャナ機能）の、主に印刷機能とスキャナ機能のソフト（アプリケーションプログラム）は、ＳＤカードに保存されていた。各機能を使用するためには前記機能が保存されているＳＤカードを装着する必要があった。
【０００５】
近年、Ｆｌａｓｈ  ＲＯＭ（ＦＲＯＭ）の大容量化に伴い、画像処理装置内の内部記憶装置に各機能のソフト（アプリケーションプログラム）を全て保存できるようになってきた。そこで、機能が多少の数種の機種の画像処理装置のシステムコントローラ（又はメインコントローラ）を共通化して、該システムコントローラの内部記憶装置に、すべての機種で必要なソフトを格納しておくことが考えられる。しかし、画像処理装置内に全ての機能ソフトを保存しておくと、全ソフトを誰でも勝手に使用できてしまう可能性が高くなる。
【０００６】
これを防止するために、前記システムコントローラに、使用可能機能を指定する機能データを書き込んだ追加メモリ（使用機能規定キー）を接続して、システムコントローラが該機能データが指定する機能のみを選択して実行可とし、他の機能は実行不可とする、画像処理装置の個別機能設定が考えられる。またこの場合、メーカ又は販売者が容易にこの個別機能設定を実施し得るように、追加メモリは、例えばＵＳＢメモリ，ＳＤカード等の、スロットに挿脱することによりシステムコントローラに接離する外部記憶媒体とするのが好ましい。
【０００７】
ところが外部記憶媒体の中身をコピーして他の記憶媒体に保存してしまうと、他のマシンでも使用できてしまうおそれがある。つまり、複数台所有している顧客が、１つの機能追加用外部記憶媒体を購入するだけで、全部の画像処理装置で使用可機能を追加できてしまうおそれがある。また、使用可機能に対応して装備機器（ハードウエア）に相違がある場合、また、外部記憶媒体のコピーが適正データでなくなっている場合は、画像処理装置が誤動作してしまうおそれがある。
【発明の開示】
【発明が解決しようとする課題】
【０００８】
本発明は、機能が多少の数種の機種の画像処理装置の内部記憶装置に、すべての機種で必要なソフトを格納しておく場合の、全ソフトの勝手使用を防止することを第１の目的とし、これを防止するために使用可機能を指定する外部記憶媒体を用いる画像処理装置および画像形成装置の、機能の不正利用を防ぐことを第２の目的とし、前記外部記憶媒体を不正使用することによる故障を防止することを第３の目的とする。
【課題を解決するための手段】
【０００９】
（１）複数の画像処理機能のそれぞれを実現するプログラムを格納した内部記憶媒体(6)；
前記画像処理機能を実行するための機器(17,18,2,11,16,21)；
スロット(6/8)に差し込まれた外部記憶媒体(12/13)の記録データを読み込む媒体データ読み取り手段(6/8)；
読み込まれた記録データにある機能データをキーとして使用可能機能を選択し前記内部記憶媒体から前記使用可能機能のプログラムを選択し使用可能に設定する使用機能設定手段(1,9)；
ユーザの指示を入力する入力手段(9,16)；および、
前記使用機能設定手段が選択した前記使用可能機能のプログラムを、前記入力手段(9,16)に入力されたユーザの指示に応じて実行して前記機器を制御する制御手段(1,2,19)；
を備える画像処理装置。
【００１０】
なお、理解を容易にするために括弧内には、図面に示し後述する実施例の対応又は相当する要素の符号又は相当事項を、例示として参考までに付記した。以下も同様である。
【発明の効果】
【００１１】
これによれば、画像処理装置が、外部記憶媒体より記録データを取得し、記録データにある機能データをキーとして使用可能機能を選択し内部記憶媒体から使用可能機能のプログラムを選択し使用可能に設定するので、内部記憶媒体に保存されている全てのプログラムの機能を利用されることを防止することができる。
【発明を実施するための最良の形態】
【００１２】
（２）前記画像処理装置は、その機番データを発生又は保持する手段(3)を持ち；前記外部記憶媒体(12/13)の記録データは、各画像処理機能の使用可否を表す機能データを機番データをキーとして暗号化したデータである；上記（１）に記載の画像処理装置。外部記憶媒体に保存している機能データをマシン特有の機番をキーとして暗号化しているので、データをコピーされて他のマシンに取り付けたとしても機能を利用されることを防止することができる。
【００１３】
（３）前記使用機能設定手段(1,9)は、前記読み込まれた記録データを、前記画像処理装置の機番データをキーとして復号化する；上記（２）に記載の画像処理装置。外部記憶媒体に保存されている暗号化された機能データをマシン内で機番をキーとして復号化しているので、マシンの外部での復号化は難しいので、機能データを不正に利用されることを防止することができる。
【００１４】
（４）前記外部記憶媒体(12/13)の記録データは、機番データおよび各画像処理機能の使用可否を表すデータを機能データとして、該機番データをキーとして暗号化したデータであり；前記使用機能設定手段(1,9)は、前記読み込まれた記録データを、前記画像処理装置の機番データをキーとして復号化し、該復号化で得た機能データの中の機番データが前記画像処理装置の機番データと合致すると、該復号化で得た機能データの中の各画像処理機能の使用可否を表すデータに基づいて前記使用可能機能を選択する；上記（３）に記載の画像処理装置。機能データが正しいかどうかの判別を行っているので、不正な機能データであった場合のマシンの誤動作を防止することができる。
【００１５】
（５）前記使用機能設定手段(1,9)は、前記復号化で得た機能データの中の機番データが前記画像処理装置の機番データと不一致のときには、エラー報知を行う；上記（４）に記載の画像処理装置。機能データが不正であった場合はエラー報知を行うため、機能の不正利用をユーザに知らせることができる。
【００１６】
（６）前記使用機能設定手段(1,9)は、前記復号化で得た機能データの中の機番データが前記画像処理装置の機番データと不一致のときには、特定の画像処理機能（基本機能）のみを使用可能機能に選択し前記内部記憶媒体から前記使用可能機能のプログラムを選択し使用可能に設定する；上記（４）又は（５）に記載の画像処理装置。機能データが不正であった場合はマシンを基本機能のみ使用可とするので、ユーザは基本機能は利用できる。
【００１７】
（７）前記画像処理装置は、機能登録操作用ＩＤを保持する手段(3)；および、前記入力手段(9)から入力されたデータが前記機能登録操作用ＩＤに合致すると、前記入力手段(9)から入力される機能データを前記スロットに差し込まれた外部記憶媒体(12/13)に格納する機能データ記録手段(1,6,8)；を備える上記（１）乃至（６）のいずれか１つに記載の画像処理装置。メーカ又は販売者は、画像処理装置をユーザに納入してから、機能登録操作用ＩＤを画像処理装置を入力して、ユーザが購入又はレンタルした機能のみ使用可能にする機能データを画像処理装置に入力して外部記憶媒体に記録することができる。すなわち、ユーザに納入したときに、使用可能機能を設定できる。またその後、外部記憶媒体の記録データを書き換えて、使用可能機能を変更することもできる。
【００１８】
（８）用紙上に画像データが表す画像を形成する作像手段(18)；
原稿の画像を読み取り該画像を表す画像データを生成するスキャナ(17)；
該スキャナ(17)が生成した画像データを前記作像手段(18)が画像を形成するに適した画像データに変換する画像データ処理手段(2)；
外部に対して書画情報をやり取りする通信手段(16,21)；
前記スキャナ(17)にて原稿の画像を読み取り前記作像手段(18)で該画像を形成するコピー機能，前記通信手段(16,21)を介して書画情報を受信し前記作像手段(18)で書画情報の画像を形成する印刷機能、および、前記スキャナで原稿の画像を読み取り該画像を表す画像データを生成して前記通信手段(16,21)を介して送信するスキャナ機能、のそれぞれを実現するプログラムを格納した内部記憶媒体(6)；
スロット(6/8)に差し込まれた外部記憶媒体(12/13)の記録データを読み込む媒体データ読み取り手段(6/8)；
読み込まれた記録データにある機能データをキーとして使用可能機能を選択し前記内部記憶媒体から前記使用可能機能のプログラムを選択し使用可能に設定する使用機能設定手段(1,9)；
ユーザの指示を入力する入力手段(9,16)；および、
前記使用機能設定手段が選択した前記使用可能機能のプログラムを、前記入力手段(9,16)に入力されたユーザの指示に応じて実行して前記機器を制御する制御手段(1,2,19)；
を備える画像形成装置。
【００１９】
（９）前記画像形成装置は、その機番データを発生又は保持する手段(3)を持ち；
前記外部記憶媒体(12/13)の記録データは、各画像処理機能の使用可否を表す機能データを機番データをキーとして暗号化したデータである；上記（８）に記載の画像形成装置。
【００２０】
（１０）前記使用機能設定手段(1,9)は、前記読み込まれた記録データを、前記画像形成装置の機番データをキーとして復号化する；上記（９）に記載の画像形成装置。
【００２１】
（１１）前記外部記憶媒体(12/13)の記録データは、機番データおよび各画像処理機能の使用可否を表すデータを機能データとして、該機番データをキーとして暗号化したデータであり；前記使用機能設定手段(1,9)は、前記読み込まれた記録データを、前記画像形成装置の機番データをキーとして復号化し、該復号化で得た機能データの中の機番データが前記画像形成装置の機番データと合致すると、該復号化で得た機能データの中の各画像処理機能の使用可否を表すデータに基づいて前記使用可能機能を選択する；上記（１０）に記載の画像形成装置。
【００２２】
（１２）前記使用機能設定手段(1,9)は、前記復号化で得た機能データの中の機番データが前記画像処理装置の機番データと不一致のときには、エラー報知を行う；上記（１１）に記載の画像形成装置。
【００２３】
（１３）前記使用機能設定手段(1,9)は、前記復号化で得た機能データの中の機番データが前記画像形成装置の機番データと不一致のときには、コピー機能のみを使用可能機能に選択し前記内部記憶媒体から前記使用可能機能のプログラムを選択し使用可能に設定する；上記（１１）又は（１２）に記載の画像形成装置。
【００２４】
（１４）前記画像形成装置は、機能登録操作用ＩＤを保持する手段(3)；および、前記入力手段(9)から入力されたデータが前記機能登録操作用ＩＤに合致すると、前記入力手段(9)から入力される機能データを前記スロットに差し込まれた外部記憶媒体(12/13)に格納する機能データ記録手段(1,2,6,8)；を備える、上記（８）乃至（１３）のいずれか１つに記載の画像形成装置。
【００２５】
（１５）前記画像形成装置は、書画情報を蓄積する蓄積記憶手段(11)および該蓄積記憶手段(11)に対して書画情報を読み書きする手段(2)を備え；前記内部記憶媒体(6)に該蓄積記憶手段(11)に書画情報を蓄積し該蓄積記憶手段の書画情報を読み出す蓄積処理プログラムを格納した；上記（８）乃至（１４）のいずれか１つに記載の画像形成装置。
【００２６】
（１６）前記画像形成装置はファクシミリ通信手段(21)を備え；前記内部記憶媒体(6)にファクシミリプログラムを格納した；上記（８）乃至（１５）のいずれか１つに記載の画像形成装置。
【００２７】
本発明の他の目的および特徴は、図面を参照した以下の実施例の説明より明らかになろう。
【実施例１】
【００２８】
図１に、本発明の一実施例であるＭＦＰ(Multi Function Printer)機能があるディジタル複写機ＭＦ１の概要を示す。複写機ＭＦ１は、原稿上の画像を読み込むスキャナ１７，画像を用紙に書き込むプリンタ１８およびこれらの制御を行うプロセスコントローラ１９を含むエンジン２０を有し、プロセスコントローラ１９は、複写機のシステム制御および画像処理制御を行うシステムコントローラ１０と、ＰＣＩバス等の汎用バスによって繋がっている。
【００２９】
システムコントローラ１０には、コントローラＡＳＩＣ  ２，設定データ登録データを保持するＮＶＲＡＭ３，画像データを蓄積し、また複写機各部の状態情報を保持するＲＡＭ４，ブート用プログラムを格納したＦｌａｓｈ  ＲＯＭ（ＦＲＯＭ）５，各種機能（アプリケーションプログラム）を格納したＦＲＯＭ６、および、主に書画情報を蓄積するＨＤＤ１１がある。コントローラＡＳＩＣ  ２は、コントローラ１０，エンジン２０およびＩ／Ｏインターフェイス１４の間の画像データ，制御データ，同期信号などのやり取りを制御する伝送制御，メモリ３〜６およびＨＤＤ１１に対するデータの読み書き制御，テキストデータをイメージデータに変換するデータ変換、および、スキャナ１７が出力する読み取り画像データの、プリンタ１８の記録色画像データへの変換、等を行うものである。
【００３０】
複写機ＭＦ１のＩ／Ｏインターフェイス１４には、操作ボード９が接続した操作ボードＩ／Ｆ（インターフェイス）１５，ＵＳＢ Host I/F ６，ＳＤカードＩ／Ｆ８，パソコンあるいはネットワークが接続されるＭＡＣ１６およびファクシミリ通信回線に接続された回線Ｉ／Ｆ２１等がある。
【００３１】
システムコントローラ１０とＩ／Ｏインターフェイス１４を含むメインコントローラ部が、複合処理システム全般の制御すなわちシステム制御を行う。システムコントローラ１０のＣＰＵ１は、ＲＡＭ４は勿論、Ｉ／Ｏインターフェイス１４内の内部レジスタ等へのアクセスを容易に行える構成となっている。
【００３２】
ＵＳＢ Host I/F ６の、ＵＳＢケーブルコネクタがあるケーブル端子受け入れスロットには、外部記憶媒体の１つであるＵＳＢメモリ１２を挿入してＵＳＢ Host I/F ６に電気的に接続することができる。同様に、ＳＤカードＩ／Ｆ８の外部接続コネクタにＳＤカードを案内するカード挿入スロットには、外部記憶媒体のもう１つであるＳＤカード１３を挿入してＳＤカードＩ／Ｆ８に電気的に接続することができる。ＵＳＢメモリ１２および又はＳＤカードＩ／Ｆ８には、図４に示す機能データが、その中の機番データをキーとして暗号化して記録されている。あるいは、ＵＳＢメモリ１２および又はＳＤカードＩ／Ｆ８には、操作ボード９に対する入力操作にて、図４に示す機能データが、複写機ＭＦ１の機番データをキーとして暗号化して記録することができる。
【００３３】
図２に示す様に、操作ボード９には、液晶タッチパネル４８のほかに、テンキー４１，クリア／ストップキー４２，スタートキー４３，初期設定キー４４，モードクリアキー４５，テスト印刷キー４６がある。テスト印刷キー４６は、設定されている印刷部数に関わらず１部だけを印刷し、印刷結果を確認するためのキーである。
【００３４】
初期設定キー４４を押す事で、機械の初期状態を任意にカスタマイズする事が可能である。機械が収納している用紙サイズを設定したり、コピー機能のリセットキーを押したときに設定される状態を任意に設定可能である。初期設定キー４４が操作されると、「ＩＤ設定」機能，「機能データ設定」機能，各種初期値を設定するための「初期値設定」機能ならびに「著作権登録／設定」機能および「使用実績の出力」機能等を指定するための選択ボタンを含む初期設定メニューが表示される。また、低電力への移行時間の設定や、オートオフ／スリープモードへの移行する時間を設定する事が可能である。
【００３５】
液晶タッチパネル４８には、各種機能キー及び画像形成装置の状態を示すメッセージなどが表示される。液晶タッチパネル４８には、「コピー」機能，「読み取り」機能，「印刷」機能，「ファクシミリ」機能，「蓄積」機能および「編集」機能を選択する機能選択キー群４９およびその他の機能の選択用および実行中を表わす機能キー５０，５１が表示される。ただしこれは全機能の使用が可能な機能データが記録された、外部記憶媒体であるＵＳＢメモリ１２又はＳＤカード１３がＩ／Ｏインターフェイス１４に接続されている場合である。この場合には、機能選択キー群４９で指定された機能に定まった入出力画面が表示され、例えば「コピー」機能が指定されているときには、図２に示すように、機能キー６０，５１ならびに部数及び画像形成装置の状態を示すメッセージが表示される。オペレータが液晶タッチパネル４８に表示されたキーにタッチする事で、選択された機能を示すキーが灰色に反転する。また、機能の詳細を指定しなければならない場合（例えばページ印字の種類等）はキーにタッチする事で詳細機能の設定画面が表示される。このように、液晶タッチパネルは、ドット表示器を使用している為、その時の最適な表示をグラフィカルに行う事が可能である。
【００３６】
なお、この実施例の複写機ＭＦ１は、外部記憶媒体がＩ／Ｆ６，８に接続されていない場合、ならびに、接続されていても記録データが不正なものである場合には、基本機能である、通常の複写機としてのコピー機能、は使用可能とし、この場合には、図３に示すように、液晶タッチパネル４８には「コピー」ボタンのみを表示して、他の機能指定キーは灰色塗り潰しとしてこれにタッチがあっても、応答しない。すなわち、「コピー」以外の機能は使用不可にしている。しかし、本願発明には、外部記憶媒体がＩ／Ｆ６，８に接続されていない場合、ならびに、接続されていても記録データが不正なものである場合には、液晶タッチパネル４８の全面を非表示にしてユーザの入力操作には応答せずコピー機能も使用不可（複写機停止）にする一態様もある。
【００３７】
複写機ＭＦ１の内部記憶手段であるＦＲＯＭ６には、「コピー」機能，「読み取り」機能，「印刷」機能，「ファクシミリ」機能，「蓄積」機能および「編集」機能を実現する、コピーアプリケーション（プログラム），読み取りアプリケーション，印刷アプリケーション，ファクシミリアプリケーション，蓄積アプリケーションおよび編集アプリケーションが格納されている。
【００３８】
図５に、図１に示すシステムコントローラ１０（にあるＣＰＵ１）の、操作ボード９に対するユーザの操作またはＰＣからのコマンドに応答して実行するシステム制御の概要を示す。主電源スイッチの投入により、あるいは省エネモードから動作モードの復帰により、複写機ＭＦ１の各部に動作電圧が加わるとコントローラ１０は、出力ポートのクリア，内部メモリ，レジスタの初期化等を行い（ステップ１，２）、そして外部記憶媒体の記録データの読み込みを行う（ステップ３）。なお、以下では、括弧内にはステップという語を省略して、ステップ番号のみを記す。
【００３９】
図６に、該記録データの読み込み（３）の内容を示す。ここでコントローラ１０は、ＵＳＢHostＩ／Ｆ６を用いて、ＵＳＢメモリ（１２）の記録データの読み込みを行う。メモリ装着なしあるいは読み込み不可の場合には、ＳＤカードＩ／Ｆ８を用いて、ＳＤカード（１３）の記録データの読み込みを行う（３７）。ＵＳＢメモリ（１２）の記録データの読み込みに成功したときには、ＮＶＲＡＭ３に登録されている、複写機ＭＦ１の機番データを用いて、読み出した記録データを復号化する（３２，３３）。記録データが適正であると、図４に示す機能データが復元する。コントローラ１０は、復元した機能データの中の機番データを、ＮＶＲＡＭ３に登録されている機番データと照合し、合致すると（すなわちＵＳＢメモリ１２が適正）であると、機能データの中の、各機能の「ＯＮ」（使用許可）／「ＯＦＦ」をＲＡＭ４の機能リスト（メモリの一領域）に書き込み、「ＯＮ」の機能を使用可とする入力画面を、操作ボード９のディスプレイ４８に表示する（３４，３５）。そして機能リストの「ＯＮ」（使用許可）機能を実行できるように、ＦＲＯＭ６から、「ＯＮ」（使用許可）機能のプログラム（アプリケーションプログラム）をＲＡＭ４の機能プログラム格納領域に展開して、該機能を使用可能状態にする。この場合には、正常に読み込みができたので（３６）、メインルーチン（図５）のステップ４を経て「入力読み込み」（６）に進む。図４に示すように、機能データの中の「Ｐｒｉｎｔ」（印刷），「ＦＡＸ」（ファクシミリ），「Ｓｃａｎ」（読み取り），「蓄積」および「編集」、ならびに基本機能（特定の機能）である「コピー」の各機能がすべて「ＯＮ」（使用許可）である場合には、ディスプレイ４８の表示は、図２に示すものとなる。
【００４０】
ＵＳＢメモリ１２の装着なしあるいは読み込み不可もしくはＵＳＢメモリ１２の記録データの中に機番データがないか又はあってもＮＶＲＡＭ３に登録されている機番データと合致しなかった場合には、ＳＤカードＩ／Ｆ８を用いて、ＳＤカード（１３）の記録データの読み込みを行う（３７）。そして上述のＵＳＢメモリの記録データ読み込み処理と同様のデータ処理および照合を行う（３７〜４１）。ＳＤカードの記録データ読み取りでも、ＳＤカード１３の装着なしあるいは読み込み不可もしくはＳＤカード１３の記録データの中に機番データがないか又はあってもＮＶＲＡＭ３に登録されている機番データと合致しなかった場合には、読み込みエラーとして基本機能（特定の機能）である「コピー」は「ＯＮ」（使用許可）であるが、他の機能はすべて「ＯＦＦ」（使用禁止）とする機能データを、ＲＡＭ４の機能リストに書き込み（４２）、メインルーチン（図５）のステップ４を経て「エラーメッセージを報知」（５）に進み、図３に示すように、基本機能（特定の画像処理機能）である「コピー」機能は使用可とする入力画面を、操作ボード９のディスプレイ４８に表示する。そして「入力読み込み」（６）に進む。
【００４１】
図５を再度参照する。「入力読み込み」（６）で、操作ボード９が「初期設定」キー４４の操作を読み取ると、コントローラ１０は、ＵＳＢメモリ１２又はＳＤカード１３が装着されていることを条件に、「初期設定」（１０）を実行する（８〜１０）。
【００４２】
図７に、「初期設定」（１０）の内容を示す。ここでコントローラ１０は、操作ボード９のディスプレイ４８に、「ＩＤ設定」機能，「機能データ設定」機能，各種初期値を設定するための「初期値設定」機能ならびに「著作権登録／設定」機能および「使用実績の出力」機能等を指定するための選択ボタンを含む初期設定メニューを表示する（５１）。このメニューの中の「機能データ設定」をオペレータが指定すると、操作ボード９が「販売者ＩＤ」入力画面をディスプレイ４８にポップアップ表示する（５３）。
【００４３】
なお、「機能データ設定」は、ユーザに複写機ＭＦ１を販売又は貸与する業者が、ユーザとの販売契約又は貸与契約により定めた、ユーザの使用可能機能を、ＵＳＢメモリ（１２）又は（ＳＤカード１３）に登録する処理であり、ユーザに複写機ＭＦ１を納入する前、あるいは納入したとき、また、ユーザが使用開始した後にユーザが要望（機能追加申し込み）したとき、に実行することを予定したものである。したがって「販売者ＩＤ」は、ユーザではなく、メーカ，販売者又は貸与者があらかじめＮＶＲＡＭ３に登録しているものである。ユーザには、管理者権限があっても、販売者ＩＤは知らせないことになっている。
【００４４】
オペレータが適正な（ＮＶＲＡＭ３に登録された）「販売者ＩＤ」を操作ボード９に入力すると、操作ボード９はディスプレイ４８に機能データ設定画面を表示する（５４，５５）。ここでオペレータは、複写機ＭＦ１を購入又は借用するユーザとの契約にもとづく、ユーザが使用可能な機能を許可し、他は禁止する機能データを入力する（５６）。入力項目は、複写機ＭＦ１の機番，Ｐrint（印刷）機能の許可（ＯＮ）／禁止（ＯＦＦ），ＦＡＸ（ファクシミリ）機能の許可（ＯＮ）／禁止（ＯＦＦ），Ｓｃａｎ（読み取り機能）の許可（ＯＮ）／禁止（ＯＦＦ），蓄積機能の許可（ＯＮ）／禁止（ＯＦＦ），編集機能の許可（ＯＮ）／禁止（ＯＦＦ）およびＰＣ（パソコンの入出力）機能の許可（ＯＮ）／禁止（ＯＦＦ）である。
【００４５】
なお、コピー機能は複写機ＭＦ１の基本機能であるので、本実施例ではこれを特別に、ＵＳＢメモリやＳＤカードの装着がなくても、使用できる機能に定めているので、機能データ設定の対象項目にしていない。適正なＵＳＢメモリ１２又はＳＤカード１３の装着がなければ「コピー」機能の使用も不可とする実施形態では、「コピー」機能も設定対象項目として、「コピー」機能の許可（ＯＮ）／禁止（ＯＦＦ）も入力要とする。本実施例では、機能データ設定の対象項目の許可（ＯＮ）／禁止（ＯＦＦ）のデフォルトは「禁止（ＯＦＦ）」であるが、これを「許可（ＯＮ）」としておいてもよい。
【００４６】
オペレータが機能データ設定画面の「設定」ボタンをクリックすると、コントローラ１０は、機能データ設定画面の入力項目のデータを、機能データ設定画面上の機番データをキーとして暗号化して、現在装着されているＵＳＢメモリ１２又はＳＤカード１３に記録する（５７，５８）。そして初期設定メニュー画面に戻る。初期設定メニュー画面の「終了」ボタンをオペレータがクリックすると、コントローラ１０は、メインルーチンの「入力読み込み」（６）に戻る。
【００４７】
図５を再度参照する。全機能がＯＮ（使用許可）である場合は、ディスプレイ４８の表示は図２に示すものである。ただし、機能選択キー群４９の中の「コピー」ボタンも、灰色表示はないものである。この場合に、液晶タッチパネル４８に表示された機能選択キー群４９の中の「コピー」にユーザがタッチすると（１１）、液晶タッチパネル４８の表示は、図２に示すにように、「コピー」ボタンが「コピー」モードが指定されていることを表す灰色表示の、コピーモードの入力画面となり、コントローラ１０は、操作ボード９に対するユーザのコピー用入力操作に応答する「コピー」（１２）を実行する。
【００４８】
基本機能である「コピー」を除く、いくつかの機能がＯＦＦ（使用禁止）である場合には、機能選択キー群４９の中の、該当機能に対応付けられているボタンが、指定不可を表す灰色塗りつぶし表示（文字は非表示）であり、ユーザがこれをクリックしても、コントローラ１０はこれには応答しない（図５の１４，１７，２０，２３，２６，２９から６へ戻る）。
【００４９】
すなわち、機能選択キー群４９の中の「読み取り」ボタンにユーザがタッチすると、ＲＡＭ４上の機能リストに「Ｓｃａｎ：ＯＮ」があるときには、液晶タッチパネル４８の表示は、原稿画像「読み取り」モードの入力画面となり、コントローラ１０は、操作ボード９に対するユーザの読み取り用入力操作に応答する「読み取り」（１５）を実行する。しかし機能リストに「Ｓｃａｎ：ＯＦＦ」があるときには、「読み取り」ボタンにユーザがタッチしても、応答しない（１４から６へ）。すなわち「読み取り」（１５）は行わない。なお、「読み取り」（１５）はスキャナ１７を用いて原稿の画像を読み取ってＲＡＭ４に書き込み、縮小画像をディスプレイ４８に表示するものである。該画像は、「印刷」機能を用いてプリントアウトでき、「ファクシミリ」機能を用いてファクシミリ送信でき、「蓄積」機能を用いてＨＤＤ１１に登録でき、また、「編集」機能を用いて画像編集ができる。
【００５０】
機能選択キー群４９の中の「印刷」にユーザがタッチすると、ＲＡＭ４上の機能リストに「Ｐｒｉｎｔ：ＯＮ」があるときには、液晶タッチパネル４８の表示は、ＲＡＭ４又はＨＤＤ１１の蓄積画像の「印刷」モードの入力画面となり、コントローラ１０は、操作ボード９に対するユーザの蓄積画像印刷のための入力操作に応答する「印刷」（１８）を実行する。しかし機能リストに「Ｐｒｉｎｔ：ＯＦＦ」があるときには、「印刷」ボタンにユーザがタッチしても、応答しない（１７から６へ）。すなわち「印刷」（１８）は行わない。
【００５１】
機能選択キー群４９の中の「ファクシミリ」にユーザがタッチすると、ＲＡＭ４上の機能リストに「ＦＡＸ：ＯＮ」があるときには、液晶タッチパネル４８の表示は、スキャナ１０に配置した原稿の「ファクシミリ（送信）」モードの入力画面となり、コントローラ１０は、操作ボード９に対するユーザのファクシミリ送信のための入力操作に応答する「ファクシミリ」（２１）を実行する。しかし機能リストに「ＦＡＸ：ＯＦＦ」があるときには、「ファクシミリ」ボタンにユーザがタッチしても、応答しない（２０から６へ）。すなわち「ファクシミリ」（２１）は行わない。
【００５２】
機能選択キー群４９の中の「蓄積」にユーザがタッチすると、ＲＡＭ４上の機能リストに「蓄積：ＯＮ」があるときには、液晶タッチパネル４８の表示は、スキャナ１０に配置した原稿の画像をＨＤＤ８２に蓄積（登録）する「蓄積」モードの入力画面となり、コントローラ１０は、操作ボード９に対するユーザの蓄積のための入力操作に応答する「蓄積」（２４）を実行する。しかし機能リストに「蓄積：ＯＦＦ」があるときには、「蓄積」ボタンにユーザがタッチしても、応答しない（２３から６へ）。すなわち「蓄積」（２４）は行わない。
【００５３】
機能選択キー群４９の中の「編集」にユーザがタッチすると、ＲＡＭ４上の機能リストに「編集：ＯＮ」があるときには、液晶タッチパネル４８の表示は、ＨＤＤ８２に蓄積した画像を読み出して編集する「編集」モードの入力画面となり、コントローラ１０は、操作ボード９に対するユーザの編集のための入力操作に応答する「編集」（２７）を実行する。しかし機能リストに「編集：ＯＦＦ」があるときには、「編集」ボタンにユーザがタッチしても、応答しない（２７から６へ）。すなわち「編集」（２７）は行わない。
【００５４】
複写機ＭＦ１に直接に接続された又はネットワークを介して接続されるＰＣには、該ＰＣを操作ボード９と同等の操作端末とししかもＰＣに接続されたディスプレイに、ディスプレイ４８と同様に読み取り画像の一覧表示をするアプリケーションプログラムがインストールされている。ＲＡＭ４上の機能リストに「ＰＣ：ＯＮ」があるときには、ユーザはＰＣを用いて、操作ボード９およびディスプレイ４８を使用するのと同等に、複写機ＭＦ１を使用することができる。ただし、ディスプレイ４８はタッチ入力方式であるが、このタッチ入力にかえてＰＣでは、キーボードのキー入力が採用されている。ＰＣのアプリケーションプログラムを起動することにより、図２，図３に示す操作ボード入力画面と同様な入力画面がＰＣのディスプレイに表示され、該入力画面上の入力ボタンにカーソルをおいてダブルクリックするか、あるいはＥｎｔｅｒキーを押すことにより、該入力ボタンに対する入力操作をＰＣが認識する。ＰＣに対する入力操作に応答して、ＰＣから複写機ＭＦ１のコントローラ１０にコマンドが送られてくると、コントローラ１０は、操作ボード９に対して入力操作があった場合と同様に、コマンド対応の制御（３０）を実行する。しかし機能リストに「ＰＣ：ＯＦＦ」があるときには、ＰＣからアクセスがあってもこれには応答しない（２９から６へ）。すなわちＰＣに対する入出力（３０）は行わない。
【図面の簡単な説明】
【００５５】
【図１】本発明の一実施例である複写機ＭＦ１の構成の概要を示すブロック図である。
【図２】図１に示す操作ボード９の拡大平面図である。
【図３】図１に示す操作ボード９の拡大平面図であり、複写機ＭＦ１に、適正なデータが記録されたＵＳＢメモリまたはＳＤカードが装着されていないときの入力画面を示す。
【図４】適正なＵＳＢメモリまたはＳＤカードに記録されているデータの内容を示すブロック図である。
【図５】図１に示すシステムコントローラ１０が操作ボード９を用いて実行する画像処理制御の概要を示すフローチャートである。
【図６】図５に示す「機能データ読み込み」（３）の内容を示すフローチャートである。
【図７】図５に示す「初期設定」（１０）の内容を示すフローチャートである。
【符号の説明】
【００５６】
４８：液晶ディスプレイ
４９：機能選択キー群
５０，５１：機能の選択用および実行中を表わす機能キー５０，５１
【図１】
2008177658.tif 000003
【図２】
2008177658.tif 000004
【図３】
2008177658.tif 000005
【図４】
2008177658.tif 000006
【図５】
2008177658.tif 000007
【図６】
2008177658.tif 000008
【図７】
2008177658.tif 000009